(57)【要約】【課題】猪等の有害鳥獣を捕獲するための捕獲器で捕獲した野生動物が有害鳥獣である場合、適正な駆除手段を速やかに選択行使できるようにする。【解決手段】有害鳥獣を捕獲する捕獲器１の近傍に、該捕獲器１を監視する監視装置１０を設置し、該監視装置１０と遠隔通信可能な端末装置１２とを備え、前記監視装置１０による捕獲器１の監視情報を端末装置１２で受信することによって、前記捕獲器１で捕獲された鳥獣の種類を確認し、以て当該有害鳥獣に適した駆除手段を選択行使できる有害鳥獣駆除システムを構成した。【選択図】　　　図１
2004097019.tif 000002
【特許請求の範囲】
【請求項１】
有害鳥獣を捕獲する捕獲器（１）の近傍に、該捕獲器（１）を監視する監視装置（１０）を設置し、該監視装置（１０）と遠隔通信可能な端末装置（１２）とを備え、前記監視装置（１０）による捕獲器（１）の監視情報を端末装置（１２）で受信することによって、前記捕獲器（１）で捕獲された鳥獣の種類を確認し、以て当該有害鳥獣に適した駆除手段を選択行使する構成としたことを特徴とする有害鳥獣等の駆除システム。
【請求項２】
捕獲器（１）で野性動物が捕獲されたことを検出すると監視装置（１０）が作動し、該監視装置（１０）による捕獲器（１）の監視情報が端末装置（１２）に送信されるように構成したことを特徴とする請求項１記載の有害鳥獣等の駆除システム。
【請求項３】
カメラ（８）と、該カメラ（８）で撮影した画像データを端末装置（１２）に向けて送信すると共に、該端末装置（１２）からの指示命令を受信可能な送受信装置（９）を備えた監視装置（１０）であることを特徴とする請求項１または請求項２記載の有害鳥獣等の駆除システム。
【請求項４】
端末装置（１２）からの指示命令に応答して捕獲器（１）を解放できるように構成したことを特徴とする請求項３記載の有害鳥獣等の駆除システム。
【請求項５】
端末装置（１２）が、携帯電話等の携帯端末であることを特徴とする請求項１ないし請求項４の何れか一項記載の有害鳥獣等の駆除システム。
【発明の詳細な説明】
【０００１】
【発明の属する技術分野】
本発明は、有害鳥獣を捕獲するために設置する檻、足括り罠等の捕獲器を遠隔監視可能に構成した有害鳥獣等の駆除システムに関するものである。
【０００２】
【従来の技術】
近年、山林の伐採や、それに伴う林道の建設等によって餌場を失った猪、鹿、熊、狸等の野性動物や、異常繁殖したカラスや土鳩等の野鳥が人里近くの田畑の農作物を狙って出没し、該田畑に被害を与えたり人に危害を及ぼすこともあって、これらの行動が習慣化した野性動物を有害鳥獣と称している。
そして、上述した猪等の有害鳥獣を捕獲するために様々な檻（箱罠）や足括り罠等の捕獲器が提案されており、檻については、その入り口を塞ぐための落とし戸を正面と背面に設け、前記両落とし戸が落下しないように受け具のラッチボルトで受け止めると共に、該受け具に着設されたノブをワイヤを介して餌台に接続し、檻内に入った動物が餌台に触れワイヤが引っぱられてラッチボルトが解除されると、前記両落とし戸が落下して檻が閉鎖されるように構成したものが知られている（例えば、特許文献１参照。）。
【０００３】
【特許文献１】
登録実用新案第３０８２９８４号公報（第８頁、第４図及び第５図）
【０００４】
【発明が解決しようとする課題】
ところが、上記従来の猪等の有害鳥獣を捕獲するための檻（箱罠）や足括り罠等の捕獲器は、その設置効果を高めるために農作物の被害が発生する田畑近傍で人目に付き難い山中に設けられており、不便な捕獲器の設置場所に出向いての定期的な点検作業が必要になると共に、当該捕獲器の点検作業の際、その周辺に潜む野性動物に襲われて二次的な災害が発生する等の問題を有していた。
【０００５】
【課題を解決するための手段】
本発明は、上記の課題を解決することを目的として創案したものであって、有害鳥獣を捕獲する捕獲器の近傍に、該捕獲器を監視する監視装置を設置し、該監視装置と遠隔通信可能な端末装置とを備え、前記監視装置による捕獲器の監視情報を端末装置で受信することによって、前記捕獲器で捕獲された鳥獣の種類を確認し、以て当該有害鳥獣に適した駆除手段を選択行使する有害鳥獣等の駆除システムを構成したことを第１の特徴としている。
【０００６】
そして、捕獲器で野性動物が捕獲されたことを検出すると監視装置が作動し、該監視装置による捕獲器の監視情報が端末装置に送信されるように構成したことを第２の特徴としている。
【０００７】
そして、カメラと、該カメラで撮影した画像データを端末装置に向けて送信すると共に、該端末装置からの指示命令を受信可能な送受信装置を備えた監視装置であることを第３の特徴としている。
【０００８】
そして、端末装置からの指示命令に応答して捕獲器を解放できるように構成したことを第４の特徴としている。
【０００９】
そして、端末装置が、携帯電話等の携帯端末であることを第５の特徴としている。
【００１０】
【発明の実施の形態】
本発明の一実施形態を図面に基づいて以下説明する。図１は本発明の実施形態に係る有害鳥獣等の駆除システムの概略構成を示したものであって、有害鳥獣を捕獲するための捕獲器である檻（箱罠）１は、人間への危険性が少なく、且つ野性動物を傷つけることなく生け捕りにできるので広く利用されている。
そして、前記檻１は、矩形の枠体１ａに格子状の金網１ｂを付設した頑丈な構造に形成されていて、檻１の正面には、該檻１の入り口１ｃを塞ぐための落とし扉２が設けてあり、おとり餌等で導かれた野性動物が檻１内に侵入したことを赤外線センサＳが検出すると、前記落とし扉２が落下して当該野性動物が捕獲できるようになっている。
【００１１】
即ち、前記落とし扉２は、蓄電池３を電源とする電動巻き上げ装置Ｍとワイヤ２ａを介して連結されており、電動巻き上げ装置Ｍのワンウェイクラッチ機構を利用して落とし扉２の開閉がなされる。
【００１２】
また、前記檻１の後部に設けた支柱４の上部には、自然エネルギー利用装置の一例である太陽電池５、及び充放電制御部６等を備えた太陽光発電装置７を設置し、該太陽光発電装置７の発電電力が前記蓄電池３に蓄えられるように構成してあり、当該駆除システムのコンパクト化が図られている。
【００１３】
そして、前記太陽光発電装置７の下方には、蓄電池３を電源として作動する監視用ＣＣＤカメラ８と、該ＣＣＤカメラ８で撮影した画像データを遠隔送信可能な送受信装置９を備えた監視装置１０が、檻１及びその周囲を的確に監視できるような位置に設置してある。
前記監視装置１０は、おとり餌等で導かれた野性動物が檻１内に侵入したことを、上述した赤外線センサＳが検出すると、それに連動して作動するように構成してあり、それによって適時檻１及びその周囲を監視することができると共に、前記蓄電池３の不要な電力消費を抑えることができる。
【００１４】
更に、前記ＣＣＤカメラ８で撮影した画像データは、送受信装置９から無線通信回線（インターネット）１１を介して檻１から遠く離れた場所にある端末装置１２（本実施例では携帯電話等の携帯端末）まで送信され、該端末装置１２で受信した画像データから檻１内に捕獲されている野性動物の種類が確認できるので、それによって捕獲された野性動物が有害鳥獣である場合は適正な駆除手段を速やかに選択行使できるように当該駆除システムを構成している。
【００１５】
また、図２は上述した駆除システムの制御装置Ｃの構成を示すブロック図であり、制御装置Ｃは、装置電源の太陽光発電装置７の充放電制御部６、赤外線センサＳ、ＣＣＤカメラ８、電動巻き上げ装置Ｍ、及び電気ショック付与装置を制御するための制御回路２１と、該制御回路２１を作動させるプログラムや画像データを記憶するメモリ２２と、ＣＣＤカメラ８で撮影した画像を静止画として取り出して記憶させる画像キャプチャ回路２３と、送受信装置９から無線通信回線（インターネット）１１を介して端末装置１２に画像データを送信すると共に、前記端末装置１２からの指示命令を送受信装置９に受信するための通信回路２４等を備えている。
【００１６】
次に、上述した駆除システムにより狩猟期間外に有害鳥獣を駆除する際の手順を、以下モデル的に図示した図３（Ａ）〜（Ｆ）に基づいて説明する。
【００１７】
先ず、（Ａ）は、おとり餌等で導かれた野性の猪Ｗが檻１の入り口１ｃから侵入しようとしているところである。
【００１８】
そして、（Ｂ）は、檻１内に侵入した野性の猪Ｗが赤外線センサＳで検出され、それに連動する電動巻き上げ装置Ｍのワンウェイクラッチが解除されて落とし扉２が落下し、当該猪Ｗが檻１内に捕獲された状態となっている。
【００１９】
また、（Ｃ）に示すように、前記赤外線センサＳの検出に連動して監視装置１０のカメラ８が作動し、該カメラ８で檻１及びその周囲を撮影した画像データは、直ちに送受信装置９から無線通信回線（インターネット）１１を介して檻１の設置場所から遠く離れた端末装置（携帯電話）１２まで送信される。
【００２０】
そして、前記端末装置（携帯電話）１２で受信した画像データから檻１内に捕獲さた野性動物の種類を的確に確認することができると共に、檻１周辺に潜む他の野性動物の存在についても把握することができる。
（Ｃ）の状態では、檻１内に野性の猪Ｗが捕獲された状態となっており、直ちに当該猪Ｗの駆除の可否について、有害鳥獣の駆除頭数を計画管理している所轄市町村役場に問い合わせ、許可が下りれば射殺等の駆除手段を速やかに行使することができる。
尚、前記端末装置１２として採用した携帯電話は、持ち運びが容易で所轄市町村役場等に問い合わせや連絡をする際にも使用できて都合がよいが、小型パソコンのように持ち運びが容易な携帯端末であれば特に限定するものではない。
【００２１】
また、所轄市町村の猪の駆除頭数が、その年度の計画駆除頭数達した場合は檻１で捕獲した猪Ｗの駆除は許可されないので、学習能力の高いとされる猪Ｗが嫌がる電気ショックや、爆音ショック等の更なる処置を施してから当該猪Ｗを解放するように構成してもよい。
【００２２】
即ち、（Ｄ）に示すように、前記端末装置（携帯電話）１２から無線通信回線（インターネット）１１を介して監視装置１０の送受信装置９に電気ショック付与の指示命令を送信し、次いで該送受信装置９から駆除システムの制御装置Ｃの制御回路２１にその指示命令が入力されることにより、（Ｅ）〜（Ｆ）に示す如く電気ショック付与装置Ｋによって当該猪Ｗに電気ショックが施されると共に、該電気ショックを施した後に檻１の落とし扉２が開放されるように構成すればよい。
【００２３】
また、上述した駆除システムは、端末装置（携帯電話）１２と監視装置１０の送受信装置９とを双方向遠隔通信可能に構成してあり、前記檻１内に人間が誤って入り落とし扉２が落下して閉じ込められた場合においても、前記ＣＣＤカメラ８で撮影した画像データを端末装置（携帯電話）１２で受信することにより檻１内に閉じ込められた人間を確認でき、その際速やかに端末装置（携帯電話）１２から監視装置１０の送受信装置９に檻１の落とし扉２を開放するように指示命令を送信し、次いで前記送受信装置９から駆除システムの制御装置Ｃの制御回路２１にその指示命令が入力されると、該指示命令に応答して檻１の落とし扉２が開放されるように駆除システムを構成しておけばより安全である。
【００２４】
また、前記檻１内に熊の幼獣が錯誤捕獲された場合は、その親熊が檻１の周辺に潜んでいる可能性が高いので、前記端末装置（携帯電話）１２で受信する監視装置１０のカメラ８で撮影した画像データの、特に檻１の周辺状況を入念に確認し、しかる後に当該幼獣を解放するか、或いは駆除するかを所轄市町村役場に問い合わせて適正な駆除手段を速やかに選択行使すればよい。
【００２５】
したがって、上述した一連の有害鳥獣等の駆除システムによれば、檻１から遠く離れた場所にある端末装置（携帯電話）１２で受信した画像データによって、檻１内に捕獲されている野性動物の種類を的確に確認することができると共に、檻１の周辺に潜む他の野性動物の存在についても把握できるので、捕獲された野性動物が有害鳥獣である場合は適正な駆除手段を速やかに選択行使でき、しかも当該檻１の点検作業の際、その周辺に潜む野性動物に襲われて二次的な災害が発生する等の問題も大幅に減少させることができる。
尚、本発明の実施形態では、有害鳥獣を捕獲する捕獲器として檻（箱罠）１をを用いているが、当該捕獲器が潜り罠、足括り罠等であっても同様に駆除システムを構成することが可能である。
【００２６】
【発明の効果】
以上説明したように本発明は、有害鳥獣を捕獲する捕獲器１の近傍に、該捕獲器１を監視する監視装置１０を設置し、該監視装置１０と遠隔通信可能な端末装置１２とを備え、前記監視装置１０による捕獲器１の監視情報を端末装置１２で受信することによって、前記捕獲器１で捕獲された鳥獣の種類を確認し、以て当該有害鳥獣に適した駆除手段を選択行使する有害鳥獣等の駆除システムを構成したので、前記捕獲器１に捕獲されている野性動物が有害鳥獣である場合は適正な駆除手段を速やかに選択行使でき、その際捕獲器１の周辺に潜む野性動物に襲われて二次的な災害が発生する等の問題も大幅に減少させることができる。
【００２７】
また、捕獲器１で野性動物が捕獲されたことを検出すると監視装置１０が作動し、該監視装置１０による捕獲器１の監視情報が端末装置１２に送信されるように構成してあるので、適時捕獲器１を監視することができる。
【００２８】
そして、カメラ８と、該カメラ８で撮影した画像データを端末装置１２に向けて送信すると共に、該端末装置１２からの指示命令を受信可能な送受信装置９を備えた監視装置１０であることから、捕獲器１内に捕獲されている野性動物の種類を的確に確認することができると共に、捕獲器１の周辺に潜む他の野性動物の存在についても把握することができる。
【００２９】
また、端末装置１２からの指示命令に応答して捕獲器１を解放できるように構成してあるので、該捕獲器１に人間が誤って捕獲された場合も安全である。
【００３０】
更に、端末装置１２が、携帯電話等の携帯端末であることから、持ち運びが容易で所轄市町村役場等に問い合わせや連絡をする際にも使用できて都合がよい。
【図面の簡単な説明】
【図１】有害鳥獣等の駆除システムの実施形態を示す概略構成図である。
【図２】同上システムの制御装置Ｃの構成を示すブロック図である。。
【図３】有害鳥獣を駆除する際の手順をモデル的に図示したものである。
【符号の説明】
１　　　捕獲器（檻）
８　　カメラ
９　　送受信装置
１０　監視装置
１２　携帯端末
【図１】
2004097019.tif 000003
【図２】
2004097019.tif 000004
【図３】
2004097019.tif 000005